(57)【要約】 【課題】  誰でも簡単に偏平状に押し潰すことのできる包装容器を提供する。【解決手段】正面板４、左右の側面板３，５および背面板２が連設される一方、背面板２の上端縁に差込フラップ１２を有する上面板７が連設され、また、左右の側面板３，５の各下端縁にそれぞれ底面フラップ１０が連設されるとともに、背面板２の下端縁および正面板４の下端縁にそれぞれ底面板９が連設され、各底面板９には、切欠部を介して係止片９１が形成されるとともに、隣接する底面フラップ１０と接着可能な糊代がそれぞれ連設され、各底面板９の糊代が隣接する底面フラップ１０にそれぞれ貼着されるとともに、係止片９１同士が係合部ｙで係合する包装容器１Ａにおいて、各底面板９に、係止片９１同士の係合部ｙから正面板４および背面板２との折り目と平行に切り裂き目ｑが形成されている。【選択図】  図１  
0003112426.tif 000002
【実用新案登録請求の範囲】
【請求項１】
背面板、左右の側面板および正面板が折り目を介して連設される一方、背面板の上端縁に差込フラップを有する上面板が折り目を介して連設され、また、左右の側面板の各下端縁にそれぞれ底面フラップが折り目を介して連設されるとともに、背面板の下端縁および正面板の下端縁にそれぞれ底面板が折り目を介して連設され、各底面板には、切欠部を介して係止片が形成されるとともに、隣接する底面フラップと接着可能な糊代がそれぞれ連設されてなり、各底面板の糊代が隣接する底面フラップにそれぞれ貼着されるとともに、各底面板の係止片同士が係合部にて係合する包装容器において、前記各底面板に、係止片同士の係合部から正面板および背面板との折り目と平行に切り裂き目が形成されていることを特徴とする包装容器。
【考案の詳細な説明】
【技術分野】
【０００１】
本考案は、薬品などの包装容器に関するものである。
【背景技術】
【０００２】
従来より、薬品などの包装容器には、底面ロック方式の包装容器が採用されている。具体的には、この包装容器１は、図５および図６に示すように、背面板２の右端縁に、左側面板３、正面板４、右側面板５が順に折り目ａ，ｂ，ｃを介して連設されるとともに、その左端縁に糊代６が折り目ｄを介して連設される一方、背面板２の上端縁に上面板７が折り目ｅを介して連設され、また、左右の側面板３，５の上端縁にそれぞれ折り目ｆ，ｆを介して上面フラップ８，８が連設され、さらに、背面板２の下端縁および正面板４の下端縁にそれぞれ底面板１０，１０が折り目ｇ，ｇを介して連設され、左右の側面板３，５の下端縁にそれぞれ折り目ｈ，ｈを介して底面フラップ１０，１０が連設されて構成されている。
【０００３】
そして、各底面板９は、折り目ｇの、折り目ａとの交点近傍および折り目ｃとの交点近傍から折り目ｇに対して反時計回り方向に約４５度の角度をおいて延びる脚を有するとともに、包装容器１の奥行き（折り目ａ，ｂ間の間隔）の約３／４強の高さの略台形状に形成されている。また、各底面板９には、前述した一方の脚を折り目ｉとして糊代１１，１１が連設されている。
【０００４】
ここで、各糊代１１の折り目ｉに沿う長さとしては、その先端が包装容器１の奥行きの中間に位置するように設定されている。すなわち、折り目ｉと、折り目ｇから折り目ａ，ｂ間の間隔の１／２の高さ位置を通って該折り目ｇと平行な線との交点ｘが終点に設定されている。
【０００５】
なお、糊代１１の形状および大きさは、隣接する底面フラップ１０に貼着されることに対応して、底面フラップ１０からはみ出さないように設定されている。
【０００６】
一方、各底面板９には、前述した交点ｘと、この交点ｘを通って折り目ｇと平行な線および各折り目ｇの中点から延びる垂線との交点ｙと、折り目ｉの延長線および底面板９の下端縁との交点ｚを結んで区画される略三角形状の切欠部９ａが形成されている。また、底面板９には、前述した交点ｙから折り目ｇに対して反時計回り方向に約６０度の角度をおいてその下端縁まで延びる折り目ｊが形成され、この折り目ｊと切欠部９ａとによって係止片９１が形成されている。
【０００７】
ここで、交点ｙは、包装容器１の奥行きである折り目ａ，ｂ間の間隔の１／２の高さ位置を通って該折り目ｇと平行な線と、包装容器１の幅である各折り目ｇの中点から延びる垂線との交点であることから、底面の重心位置となる。
【０００８】
さらに、上面板７の上端縁には、差込フラップ１２が折り目ｋを介して連設されている他、該差込フラップ１２の略中間部には、折り目ｋの近傍に位置して幅方向に一定長さの差込穴１２ａが形成されている。また、正面板４の上端縁には、前述した差込穴１２ａに対応する幅の封緘片１３が折り目ｍを介して連設されており、後述するように、差込穴１２ａに封緘片１３が差し込まれて封緘されるようになっている。
【０００９】
なお、正面板４には、封緘片１３の左右端縁近傍から下方に向けて一定長さの切れ目ｎ，ｎが形成されるとともに、該切れ目ｎ，ｎの下端縁を結んで切り裂き目ｐが封緘片１３の折り目ｍと平行に形成されており、開封時に切り裂き目ｐに沿って切り裂くことにより、封緘片１３を除去できるようになっている。
【００１０】
次に、このように構成された包装容器１の組立手順について説明する。
【００１１】
まず、図６の展開図にしたがってコートボールを打ち抜くとともに裏面が上面を向くように反転させた後、背面板２および正面板４に対して底面板９，９を折り目ｇ，ｇに沿ってそれぞれ谷折りするとともに、左右の側面板３，５に対して底面フラップ１０，１０を折り目ｈ，ｈに沿ってそれぞれ谷折りし、各底面板９に対して糊代１１，１１を折り目ｉ，ｉに沿って谷折りする。次いで、谷折りされた糊代１１，１１のうち、背面板２側に折り返された糊代１１の裏面に接着剤を塗布し（図７参照）、左側面板３に対して背面板２を折り目ａに沿って谷折りし、左側面板３に連設されて隣接する底面フラップ１０に糊代１１を貼着する。この後、正面板４側に折り返された糊代１１の裏面に接着剤を塗布するとともに、糊代６の表面に接着剤を塗布し（図８参照）、正面板４に対して右側面板５を折り目ｃに沿って谷折りし、右側面板５に連設されて隣接する底面フラップ１０を糊代１１に貼着するとともに、右側面板５の裏面側端縁部を糊代６に貼着する（図９参照）。
【００１２】
このように、偏平に組み立てられた包装容器１は、薬品などの収納工程に供給され、箱状に組み立てられた後、薬品が添付文書とともに収容され、封緘される。
【００１３】
具体的には、図９において、右側面板５を正面板４に対して折り目ｃに沿って引き上げると、糊代６を介して右側面板５に貼着された背面板２が左側面板３に対して引き上げられ、背面板２、左右の側面板３，５および正面板４によって包装容器１に形成される。この際、糊代１１を介して一体に貼着された一対の底面板９および底面フラップ１０は、互いに底面板９が相手側の底面フラップ１０の上に重なって卍状に組み合わされ、係止片９１，９１同士が交点ｙにおいて係合する。このため、一体に貼着された一対の底面板９および底面フラップ１０は、係止片９１，９１が係合することによって、互いに離脱が防止されて、包装容器１の底面を形成するとともに、その状態を保持する（図５参照）。
【００１４】
次いで、包装容器１の内部に薬品を添付文書とともに収容した後、上面フラップ８，８を折り目ｆ，ｆに沿って山折りする一方、背面板２に対して上面板７を折り目ｅに沿って山折りするとともに、上面板７に対して差込フラップ１２を折り目ｋに沿って山折りして正面板４の裏面に沿って差し込み、さらに、封緘片１３を折り目ｍに沿って山折りして差込フラップ１２の差込穴１２ａに差込み、上面板７と差込フラップ１２にわたって封緘した後、薬局や病院などに出荷される。
【００１５】
このような包装容器１に収容された薬品を使用するときには、封緘片１３を引き出し、切り裂き目ｐに沿って切り裂けば、封緘片１３を正面板４から切り離すことができることから、その後、上面板７を引き上げて、薬品を取り出せばよい。
【００１６】
一方、薬品を使い切って包装容器１を廃棄するときには、各係止片９１を折り目ｊに沿って谷折りして立ち上げ、さらに、底面板９に接するように折り畳んで係合部ｙにおける係止片９１，９１同士の係合状態を解除した後、背面板２、左右の側面板３，５および正面板４によって形成された箱体の背面板２および正面板４が接するように押し潰せば、先に図９に示したように、偏平状に折り畳まれる（例えば、特許文献１，２参照）。
【特許文献１】特開平８−１６９４３６号公報
【特許文献２】特開平８−１５６９３０号公報
【考案の開示】
【考案が解決しようとする課題】
【００１７】
ところで、前述した包装容器は、廃棄するに際して、係止片同士の係合を解除すれば、偏平状に折り畳むことができるようになっている。しかしながら、往々にして係止片による係合状態を解除しないまま箱体で廃棄されることがあった。すなわち、廃棄に際して偏平状に押し潰す要領の説明があったとしても、係止片の係合状態を解除する操作が煩雑なため、そのまま廃棄されていたと考えられる。
【００１８】
このように、箱体のまま廃棄されると、病院などでは毎日多量の包装容器が発生するため、輸送効率が低下するものとなる。
【００１９】
本考案は、このような問題点に鑑みてなされたもので、誰でも簡単に偏平状に押し潰すことのできる包装容器を提供するものである。
【課題を解決するための手段】
【００２０】
本考案は、背面板、左右の側面板および正面板が折り目を介して連設される一方、背面板の上端縁に差込フラップを有する上面板が折り目を介して連設され、また、左右の側面板の各下端縁にそれぞれ底面フラップが折り目を介して連設されるとともに、背面板の下端縁および正面板の下端縁にそれぞれ底面板が折り目を介して連設され、各底面板には、切欠部を介して係止片が形成されるとともに、隣接する底面フラップと接着可能な糊代がそれぞれ連設されてなり、各底面板の糊代が隣接する底面フラップにそれぞれ貼着されるとともに、各底面板の係止片同士が係合部にて係合する包装容器において、前記各底面板に、係止片同士の係合部から正面板および背面板との折り目と平行に切り裂き目が形成されていることを特徴とするものである。
【００２１】
本考案によれば、開封して薬品などの収容物を取り出した後、偏平に押し潰す場合は、一方の底面板を正面板もしくは背面板に接するように押し込めば、底面板と糊代とがそれらの折り目に沿って山状に屈曲しようとする。この際、係止片同士の係合部に力が集中して作用し、他方の底面板の係止片が、押し込んだ側の底面板に係止部から連続して形成された切り裂き目を切り裂くことになる。切り裂き目が他方の係止片によって切り裂かれれば、切り裂き目に沿って他方の係止片が移動することが許容されることから、押し込んだ側の底面板と糊代を介して一体に貼着された底面フラップがその底面板に沿うように倒れ込むとともに、正面板もしくは背面板に対して左右の側面板が鋭角を形成するように倒れ込む。さらに、底面板を正面板または背面板に接するように押し込めば、他方の底面板の係止片が切り裂かれた切り裂き目より離脱し、係止片による係合状態が解除されるため、偏平に折り畳むことができる。
【００２２】
この結果、一方の底面板を押し込むだけの誰でもできる簡単な操作で包装容器を偏平状に押し潰すことができる。
【００２３】
この場合、押し潰す位置を示す印やマークおよびその説明を底面板に付すことが好ましい。
【考案の効果】
【００２４】
本考案によれば、誰でも簡単に偏平状に押し潰すことができる。
【考案を実施するための最良の形態】
【００２５】
以下、本考案の実施の形態を図面を参照して説明する。
【００２６】
図１および図２には、本考案の包装容器１Ａの一実施形態が示されている。
【００２７】
この包装容器１Ａは、先に説明した包装容器１と同一の構成であり、同一の構成には同一の符号を付してその詳細な説明を省略し、相違する点についてのみ説明する。
【００２８】
図１および図２において、各底面板９には、交点ｙを始点として折り目ｇと平行に一定長さの切り裂き目ｑが形成されている。また、底面板９の表面側中央部には、押し潰し位置を示すマークＭが付されている。
【００２９】
このように構成された包装容器１Ａの組立手順についても、先に説明した包装容器１の組立手順と何ら相違しないため、その詳細な説明を省略する。
【００３０】
包装容器１Ａが組み立てられたならば、包装容器１Ａの内部に薬品を添付文書とともに収容した後、上面フラップ８，８および上面板７を順に折り込むとともに、差込フラップ１２を正面板４の裏面に沿って差し込み、さらに、封緘片１３を差込フラップ１２の差込穴１２ａに差込み、上面板７と差込フラップ１３にわたって封緘した後、薬局や病院などに出荷される。
【００３１】
このような包装容器１に収容された薬品を使用した後、包装容器１を廃棄するときには、図３および図４において、底面板９のマークＭ部分を背面板２に接するように押し込めば、底面板９と糊代１１とがそれらの折り目ｉに沿って山状に屈曲しようとする。この際、係止片９１，９１同士の係合部ｙに力が集中して作用し、他方の底面板９の係止片９１が、押し込んだ側の底面板９に係合部ｙから連続して形成された切り裂き目ｑを切り裂き、切り裂き目ｑに沿って移動する。他方の底面板９の係止片９１が、押し込んだ側の底面板９に形成された切り裂き目ｑに沿って移動すれば、押し込んだ側の底面板９と糊代１１を介して一体に貼着された底面フラップ１０がその底面板９に沿うように引き寄せられ、背面板２に対して左右の側面板３，５が鋭角を形成するように、倒れ込む。さらに、底面板９を背面板２に接するように押し込めば、他方の底面板９の係止片９１が切り裂かれた切り裂き目ｑより離脱し、係止片９１，９１による係合状態が解除されるため、先に図９に示したように、偏平に折り畳むことができる。
【００３２】
なお、背面板２に連設された底面板９を押し潰した場合を説明したが、正面板４に連設された底面板９を押し潰す場合も同様である。
【００３３】
このように、一方の底面板９を押し込むだけの簡単な操作で包装容器１を偏平状に押し潰すことができる。
【図面の簡単な説明】
【００３４】
【図１】本考案の包装容器の一実施形態を一部破断して示す斜視図である。
【図２】図１の包装容器の展開図である。
【図３】図１の包装容器を偏平に押し潰す要領を説明する斜視図である。
【図４】図３に示した包装容器を偏平に押し潰す際を示す底面図である。
【図５】従来の包装容器を示す斜視図である。
【図６】図５の包装容器の展開図である。
【図７】図５の包装容器の組立要領を示す説明図である。
【図８】図５の包装容器の組立要領を示す説明図である。
【図９】図５の包装容器の組立要領を示す説明図である。
【符号の説明】
【００３５】
１Ａ  包装容器
２  背面板
３，５  側面板
４  正面板
６，１１  糊代
７  上面板
８  上面フラップ
９  底面板
９１  係止片
１０  底面フラップ
ａ，ｂ，ｃ，ｄ，ｅ，ｆ，ｇ，ｈ，ｉ，ｊ，ｋ，ｍ  折り目
ｎ  切れ目
ｐ，ｑ  切り裂き目
ｙ  係合部
【図１】
0003112426.tif 000003
【図２】
0003112426.tif 000004
【図３】
0003112426.tif 000005
【図４】
0003112426.tif 000006
【図５】
0003112426.tif 000007
【図６】
0003112426.tif 000008
【図７】
0003112426.tif 000009
【図８】
0003112426.tif 000010
【図９】
0003112426.tif 000011